(57)【要約】  レンズパネルを含むレンズ構造とレンズパネル上のバッテリ構造とを備える、アイウェア装置が提供される。バッテリ構造は、アノード、セパレータ、およびカソードと、を有し得、太陽電池パネルも有し得る。アノードはレンズパネル上に設けられ得、セパレータはアノード上に設けられ得、カソードはセパレータ上に設けられ得、太陽電池パネルはカソード上に設けられ得る。アイウェア装置と関連付けられた電子コンポーネント用にエネルギーを蓄えるためのバッテリ構造がアイウェア装置と共に用いられ得る。電子コンポーネントは、バッテリ構造から電力を受け取り得る。太陽電池パネルは、バッテリ構造上に設けられ得る。太陽電池パネルは、太陽光または他の光からエネルギーを受け取り得、バッテリ構造にエネルギーを供給し得る。
2018511283.tif 000002
【特許請求の範囲】
【請求項１】
第１レンズ構造を備え、
前記第１レンズ構造は、
レンズパネルと、
前記レンズパネル上のバッテリ構造と
を有し、
前記バッテリ構造は、アノード、セパレータ、およびカソードと、を含む、アイウェア装置。
【請求項２】
前記バッテリ構造は、前記アノードのグリッド構成、前記セパレータのグリッド構成、および前記カソードのグリッド構成と、を有する、請求項１に記載のアイウェア装置。
【請求項３】
前記セパレータの前記グリッド構成は、前記アノードの前記グリッド構成と位置合わせされ、前記カソードの前記グリッド構成は、セパレータの前記グリッド構成と位置合わせされる、請求項２に記載のアイウェア装置。
【請求項４】
前記第１レンズ構造は、前記バッテリ構造上の太陽電池パネルをさらに有する、請求項１から３のいずれか一項に記載のアイウェア装置。
【請求項５】
前記太陽電池パネルは、グリッド構成で設けられる、請求項４に記載のアイウェア装置。
【請求項６】
前記バッテリ構造は、前記レンズパネルと前記太陽電池パネルとの間にある、請求項４に記載のアイウェア装置。
【請求項７】
前記レンズパネルは、前記バッテリ構造と前記太陽電池パネルとの間にある、請求項４に記載のアイウェア装置。
【請求項８】
前記太陽電池パネルが、光からエネルギーを受け取り、受け取った前記エネルギーに基づく電流を供給する、請求項４に記載のアイウェア装置。
【請求項９】
前記レンズパネルが、ガラス、またはプラスチックである、請求項１に記載のアイウェア装置。
【請求項１０】
第２レンズ構造をさらに備え、
前記第２レンズ構造は、
他のレンズパネルと、
前記他のレンズパネル上の他のバッテリ構造と
を有し、
前記他のバッテリ構造は、アノード、セパレータ、およびカソードと、を含む、請求項１に記載のアイウェア装置。
【請求項１１】
前記他のレンズパネル上の太陽電池パネルをさらに備える、請求項１０に記載のアイウェア装置。
【請求項１２】
フレームアセンブリと、
第１レンズ構造と、を備え、
前記第１レンズ構造は、
レンズパネルと、
前記レンズパネル上のアノード、セパレータ、およびカソードと、を有する、電子システム。
【請求項１３】
前記アノードがグリッド構成を含み、前記セパレータがグリッド構成を含み、前記カソードがグリッド構成を含む、請求項１２に記載の電子システム。
【請求項１４】
前記アノード、前記セパレータ、および前記カソード
とが、バッテリ構造を形成する、請求項１２または１３に記載の電子システム。
【請求項１５】
前記第１レンズ構造が、前記バッテリ構造上の太陽電池パネルをさらに有する、請求項１４に記載の電子システム。
【請求項１６】
前記バッテリ構造を充電する充電回路をさらに備える、請求項１４に記載の電子システム。
【請求項１７】
前記充電回路が、前記バッテリ構造を充電する、請求項１６に記載の電子システム。
【請求項１８】
前記フレームアセンブリが、少なくとも一つの電子コンポーネントを有する、請求項１６に記載の電子システム。
【請求項１９】
第１レンズ構造を備え、
前記第１レンズ構造が、
レンズパネルと、
前記レンズパネル上に、蓄電のためのバッテリ手段と、を有する、アイウェア装置。
【請求項２０】
前記バッテリ手段が、アノード、セパレータ、およびカソードと、を含む、請求項１９に記載のアイウェア装置。
【請求項２１】
前記第１レンズ構造が、前記バッテリ手段上に光からエネルギーを受け取るための太陽光発電手段をさらに有する、請求項１９または２０に記載のアイウェア装置。
【請求項２２】
レンズパネルと前記レンズパネル上のバッテリ構造とを備え、前記バッテリ構造が、アノード、セパレータ、およびカソードとを含む、レンズ構造。
【請求項２３】
前記バッテリ構造が、前記アノードのグリッド構成、前記セパレータのグリッド構成、および前記カソードのグリッド構成と、を有する、請求項２２に記載のレンズ構造。
【請求項２４】
前記バッテリ構造上の太陽電池パネルをさらに備える、請求項２２または２３に記載のレンズ構造。
【請求項２５】
前記太陽電池パネルがグリッド構成で設けられる、請求項２４に記載のレンズ構造。
【発明の詳細な説明】
【技術分野】
【０００１】
実施形態は、アイウェア装置用のバッテリ構造に関し得る。
【背景技術】
【０００２】
アイウェア装置は、動作するために電力を必要とする、少なくとも一つの電子コンポーネントを備え得る。電力は、バッテリまたは外部電源から供給され得る。
【図面の簡単な説明】
【０００３】
配置と実施形態が以下の図面を参照して、詳細に説明され、図面においては、同様の参照番号が、同様の要素を指し得る。
【図１】例示的な実施形態に係るアイウェア装置を示す。
【図２】例示的な実施形態に係るレンズ構造を示す。
【図３】例示的な実施形態に係るバッテリ構造を示す。
【図４】例示的な実施形態に係るレンズ構造を分けて示す。
【図５】例示的な実施形態に係るレンズ構造の側面図である。
【図６】例示的な実施形態に係るレンズ構造を示す。
【図７】例示的な実施形態に係る充電回路およびレンズ構造を示す。
【発明を実施するための形態】
【０００４】
以下の詳しい説明において、複数の異なる図面において、対応する、および／または類似するコンポーネントを示す場合に、同様の参照番号と符号とが用いられ得る。さらに、以下の詳しい説明において、例示的なサイズ／モデル／値／範囲が提示され得るが、複数の実施形態は、それらと同一のものに限定されない。例示的な複数の実施形態を説明するために、具体的な詳細が記載されるが、複数の実施形態は、これらの具体的な詳細なしで実行され得ることが、当業者には明らかであろう。
【０００５】
図１は、例示的な実施形態に係るアイウェア装置を示す。他の実施形態および構成もまた提供され得る。
【０００６】
図１は、フレームアセンブリ２０、第１レンズ構造４０、および第２レンズ構造６０とを有するアイウェア装置１０を示す。アイウェア装置１０は、ユーザの頭部上に設置され得る。アイウェア装置１０は、ヘッドマウントディスプレイ（ＨＭＤ）とも呼ばれ得る。
【０００７】
フレームアセンブリ２０は、メインフレーム２２、第１アーム２４、および第２アーム２６とを有し得る。第１アーム２４は、第１ヒンジデバイス３２により、メインフレーム２２に連結し得る。第２アーム２６は、第２ヒンジデバイス３４により、メインフレーム２２に連結し得る。
【０００８】
メインフレーム２２は、第１レンズ開口４１（または第１レンズ支持部材）と第２レンズ開口６１（または第２レンズ支持部材）とを有し得る。第１レンズ構造４０は、第１レンズ開口４１（または第１レンズ支持部材）に設けられ得、第２レンズ構造６０は、第２レンズ開口６１（または第２レンズ支持部材）に設けられ得る。
【０００９】
第１レンズ構造４０は、第１レンズパネルを有し得、第２レンズ構造６０は、第２レンズパネルを有し得る。第１レンズパネルと第２レンズパネルは、処方箋によるレンズ、処方箋不要のレンズ、色付きレンズ、安全レンズ、および／または同様のレンズのいずれか1つ（または複数）であり得る。第１レンズパネルと第２レンズパネルは、光が各レンズパネルを通過し得るように、透明であり得る。レンズパネルは、例えば、ガラス、またはプラスチックで作成され得る。
【００１０】
第１レンズパネルは、第１レンズ支持部材に設けられ得て、第１レンズ支持部材は、フレーム２２の周囲の少なくとも一部であり、第１レンズ構造４０を支え得る。第１レンズ支持部材は、第１レンズパネルの周縁の少なくとも一部を支え得る。少なくとも１つの実施形態において、第１レンズ支持部材は、第１レンズパネルの周縁全体を支え得る。
【００１１】
第２レンズパネルは、第２レンズ支持部材に設けられ得て、第２レンズ支持部材は、フレーム２２の一部であり、第２レンズ構造６０を支え得る。第１レンズ支持部材は、第２レンズパネルの周囲の少なくとも一部を支え得る。少なくとも１つの実施形態において、第２レンズ支持部材は、第２レンズパネルの周囲全体を支え得る。
【００１２】
図１はまた、メインフレーム２２の第１領域２０２、第１アーム２４の第２領域２０４、および第２アーム２６の第３領域２０６とを示す。
【００１３】
充電回路は、第１領域２０２、第２領域２０４、および第３領域２０６とのうち１つに設けられ得る。
【００１４】
更に、電子コンポーネントが、フレームアセンブリ２０に設けられ得る。例えば、電子コンポーネントが、第１領域２０２、第２領域２０４、および第３領域２０６とのいずれか１つに設けられ得る。電子コンポーネントは、バッテリ構造から電力を受け取り得る。
【００１５】
図２は、例示的な実施形態に係るレンズ構造を示す。他の実施形態および構成もまた提供され得る。図２に示されるレンズ構造１００が、第１レンズ構造４０、第２レンズ構造６０、および／または、第１レンズ構造４０と第２レンズ構造６０との両方として設けられ得る。図２は、レンズ構造を形成する種々の要素／特徴の配置を示す。
【００１６】
レンズ構造１００は、レンズパネル１０２、バッテリ構造１１０、および太陽電池パネル１２０とを有し得る。バッテリ構造１１０は、レンズパネル１０２上に設けられ得る。太陽電池パネル１２０は、バッテリ構造１１０上に設けられ得る。レンズパネル１０２、バッテリ構造１１０、および太陽電池パネル１２０とは、集合的にレンズ構造１００を形成し、アイウェア装置の第１レンズ開口４１（または第１レンズ支持部材）に設けられ得る。レンズパネル１０２、バッテリ構造１１０、および太陽電池パネル１２０は、集合的にレンズ構造１００を形成し、アイウェア装置の第２レンズ開口６１（または第２レンズ支持部材）に設けられ得る。レンズ構造１００は、図２で示されるよりも、多い、または少ないコンポーネントを有し得る。
【００１７】
バッテリ構造１１０は、アノード１１２、セパレータ１１４、およびカソード１１６とを有し得る。図２に示されるように、アノード１１２は、レンズパネル１０２上に設けられ得、セパレータ１１４はアノード１１２上に設けられ得、カソード１１６はセパレータ１１４上に設けられ得、太陽電池パネル１２０はカソード１１６上に設けられ得る。要素／特徴の他の配置、および／または、配列もまた提供され得る。他の例として、カソードは、レンズパネル１０２上に設けられ得、セパレータはカソード上に設けられ得、アノードはセパレータ上に設けられ得、太陽電池パネル１２０はアノード上に設けられ得る。
【００１８】
バッテリ構造１１０は、アイウェア装置１０と共に用いられ、アイウェア装置と関連付けられた電子コンポーネント用に、エネルギーを蓄え（電力を供給し）得る。電子コンポーネントは、バッテリ構造から電力を受け取り得る。動作中、電流は、バッテリーチャージャ、および／または、ＡＣ／ＤＣ（交流／直流）コンバータなどの電源から（バッテリ構造１１０の）アノード１１２に流れ込み得る。電流は、アイウェア装置の負荷のような他の電子コンポーネントへ、電力（またはエネルギー）を供給するために、（バッテリ構造１１０の）カソード１１６から流れ出し得る。アイウェア装置の負荷は、ディスプレイ、スピーカ、マイク、触覚ユニット、コントローラ、プロセッサ、無線通信ユニット等の様々な電子コンポーネントのいずれか１つ（または複数）であり得る。
【００１９】
バッテリ構造１１０に蓄電するため、アノード１１２、またはカソード１１６の構造は、より多くの電力、またはエネルギーを蓄えることができるように具体的に設計され得る。例えば、アノード１１２（またはアノード構造）は、炭素、黒鉛、および／またはシリコンで作られ得る。カソード１１６（またはカソード構造）は、ＬＣＯ（ＬｉＣｏＯ２、コバルト酸リチウム）などのリチウム金属酸化物で作られ得る。
【００２０】
セパレータ１１４（またはセパレータ構造）は、セラミック、またはポリマーなどのイオン伝導体で作られ得る。
【００２１】
太陽電池パネル１２０は、バッテリ構造１１０上に設けられ得る。太陽電池パネル１２０は、（日光または他の光から）エネルギーを受け取り、（例えば、充電回路を介して）バッテリ構造１１０へエネルギーを供給し得る。太陽電池パネル１２０は、受け取ったエネルギーに基づく電流を供給し得る。バッテリ構造１１０は、レンズ構造上に設けられる太陽電池パネル１２０から得たエネルギー、または電力を蓄え得る。
【００２２】
図３は、例示的な実施形態に係るバッテリ構造を示す。他の実施形態および構成もまた提供され得る。
【００２３】
図３は、バッテリ構造１１０がグリッド構成で設けられ得ることを示す。グリッド構成において、（バッテリ構造１１０の）アノード１１２、セパレータ１１４、およびカソード１１６の各々が、グリッド構成の一部として設けられ得る。
【００２４】
バッテリ構造１１０は、アノード１１２のグリッド構成、セパレータ１１４のグリッド構成、およびカソード１１６のグリッド構成とを有する。セパレータ１１４のグリッド構成は、アノード１１２のグリッド構成と位置合わせされ得、カソード１１６のグリッド構成は、セパレータ１１４のグリッド構成と位置合わせされ得る。
【００２５】
グリッド形態で設けられる、バッテリ構造１１０（アノード１１２、セパレータ１１４、およびカソード１１６）は、レンズパネル１０２上に設けられ得る。レンズパネル１０２は、平面構造、または湾曲構造を有し得る。レンズパネル１０２は、第１レンズ開口４１全体に（または第２レンズ開口６１に）設けられ得、グリッド構成で設けられるバッテリ構造１１０は、レンズパネル１０２上に設けられ得る。
【００２６】
グリッド構成を有するバッテリ構造１１０は、第１レンズ開口４１（または第１レンズ支持部材）に設けられ得る。グリッド構成を有するバッテリ構造１１０は、第２レンズ開口６１（または第２レンズ支持部材）に設けられ得る。
【００２７】
バッテリ構造１１０のグリッド構成は、（図３に示されたｘ軸に沿った）第１方向に、積層コンポーネント（アノード１１２、セパレータ１１４、およびカソード１１６）と、（図３に示されたｙ軸に沿った）第２方向に、積層コンポーネント（アノード１１２、セパレータ１１４、およびカソード１１６）とを含み得る。グリッド構成は、異なるｘ軸コンポーネントとｙ軸コンポーネントとの間における開口を含み得る。光が、グリッド構成の開口を通って進み得る。光は、開口のいずれかを通過し、レンズパネルを通過し、ユーザの目に到達し得る。
【００２８】
バッテリ構造１１０は、レンズパネル１０２上に設けられている間、エネルギー、または電力を蓄え得、光がレンズ構造を横断することも可能にし得る。
【００２９】
図４は、例示的な実施形態に係るレンズ構造を分けて示す。他の実施形態および構成も提供され得る。
【００３０】
図４は、レンズパネル１０２、（グリッド構成の）アノード１１２、（グリッド構成の）セパレータ１１４、（グリッド構成の）カソード１１６、および（グリッド構成の）太陽電池パネル１２０とを示す。
【００３１】
セパレータ１１４のグリッド構成は、アノード１１２のグリッド構成と位置合わせされ得る。カソード１１６のグリッド構成は、セパレータ１１４のグリッド構成と位置合わせされ得る。更に、太陽電池パネル１２０のグリッド構成は、カソード１１６のグリッド構成と位置合わせされ得る。
【００３２】
異なるグリッド構成を位置合わせすることにより、開口が、アノード１１２、セパレータ１１４、カソード１１６、および太陽電池パネル１０２との各々と位置合わせされることが可能となり得る。開口が位置合わせされることにより、レンズ構造の第１の側からレンズ構造の第２の側へ光を通過させることが可能となり得る。これにより、レンズ構造の開口を介して、ユーザはイメージを見ることが可能となり得る。
【００３３】
図５は、例示的な実施形態に係るレンズ構造の側面図である。他の実施形態および構成もまた、提供され得る。
【００３４】
グリッド構成において、バッテリコンポーネントは、ｘ軸およびｙ軸に沿って延在し得る。図５は、ｙ軸方向に延在するバッテリコンポーネントを示すレンズ構造の断面図を示す。さらに具体的には、図５は、第１積層構造１０００、第２積層構造２０００、第３積層構造３０００、および第４積層構造４０００とを示す。
【００３５】
レンズパネル１０２上に設けられる第１積層構造１０００は、アノード部１１１２、セパレータ部１１１４、カソード部１１１６、および太陽電池パネル部１１２０とを含み得る。
【００３６】
レンズパネル１０２上に設けられる第２積層構造２０００は、アノード部２１１２、セパレータ部２１１４、カソード部２１１６、および太陽電池パネル部２１２０とを含み得る。
【００３７】
レンズパネル１０２上に設けられる第３積層構造３０００は、アノード部３１１２、セパレータ部３１１４、カソード部３１１６、および太陽電池パネル部３１２０とを含み得る。
【００３８】
レンズパネル１０２上に設けられる第４積層構造４０００は、アノード部４１１２、セパレータ部４１１４、カソード部４１１６、および太陽電池パネル部４１２０とを含み得る。
【００３９】
他の構成の積層構造もまた設けられ得る。
【００４０】
開口１５００が、第１積層構造１０００と第２積層構造２０００との間に設けられ得る。  開口２５００が、第２積層構造２０００と第３積層構造３０００との間に設けられ得る。更に、第３開口３５００は、第３積層構造３０００と第４積層構造４０００との間に設けられ得る。他の開口および積層構造もまた設けられ得る。
【００４１】
光は、開口１５００、２５００、３５００を通過し、レンズパネル１０２を通過し得る。
【００４２】
それゆえ、ユーザは、レンズパネル１０２と、バッテリ構造の開口１５００、２５００、３５００を通して見ることにより、イメージを見ることが可能となり得る。
【００４３】
図６は、例示的な実施形態に係るレンズ構造を示す。他の実施形態および構成もまた提供され得る。図６に示されるレンズ構造１００'は、第１レンズ構造４０、第２レンズ構造６０、および／または、第１レンズ構造４０と第２レンズ構造６０との両方に対応し得る。図６は、レンズ構造を形成する種々の要素／特徴の配置を示す。
【００４４】
レンズ構造１００'は、バッテリ構造１３０、レンズパネル１０２、太陽電池パネル１２０とを有し得る。図６の実施形態では、レンズパネル１０２は、バッテリ構造１３０上に設けられ得、太陽電池パネル１２０は、レンズパネル１０２上に設けられ得る。バッテリ構造１３０、レンズパネル１０２、および太陽電池パネル１２０は、集合的にレンズ構造１００'を形成し、第１レンズ開口４１（または第１レンズ支持部材）に設けられ得る。レンズパネル１０２、バッテリ構造１３０、および太陽電池パネル１２０は、集合的にレンズ構造１００'を形成し、第２レンズ開口６１（または第２レンズ支持部材）に設けられ得る。
【００４５】
バッテリ構造１３０は、アノード１３２、セパレータ１３４、およびカソード１３６とを有し得る。図６に示されるように、アノード１３２はレンズパネル１０２上に設けられ得、セパレータ１３４はアノード１３２上に設けられ得、カソード１３６はセパレータ１３４上に設けられ得る。太陽電池パネル１２０は、レンズパネル１０２上に設けられ得る。要素／特徴の他の配置、および／または、配列もまた提供され得る。他の例として、カソードはレンズパネル１０２上に設けられ得、セパレータはカソード上に設けられ得、アノードはセパレータ上に設けられ得、太陽電池パネル１２０はレンズパネル１０２上に設けられ得る。
【００４６】
バッテリ構造１３０は、アイウェア装置１０と共に用いられ、アイウェア装置と関連付けられた電子コンポーネント用に、エネルギーを蓄え（電力を供給し）得る。電子コンポーネントは、バッテリ構造から電力を受け取り得る。動作中、電流は、バッテリーチャージャ、および／または、ＡＣ／ＤＣ（交流／直流）コンバータなどの電源から（バッテリ構造１３０の）アノード１３２に流れ込み得る。電流は、アイウェア装置の負荷のような他の電子コンポーネントへ、電力（またはエネルギー）を供給するために、（バッテリ構造１３０の）カソード１３６から流れ出し得る。
【００４７】
図７は、例示的な実施形態に係る充電回路とレンズ構造とを示す。他の実施形態および構成もまた提供され得る。
【００４８】
図７は、アイウェア装置１０上に設けられ得る充電回路１５０を示す。充電回路１５０は、バッテリ構造および／またはレンズ構造の太陽電池パネルと電気的に結合され得る。充電回路１５０は、バッテリーチャージャ、ＡＣ／ＤＣ（交流／直流）コンバータ、および／またはバッテリ構造を充電する、および／またはアイウェア装置の負荷に電力を提供するための他の回路であり得る。充電回路１５０は、バッテリ構造１１０（図６）、バッテリ構造１３０（図５）、および／または他のバッテリ構造を充電し得る。
【００４９】
図７は、アノード１６２、セパレータ１６３、およびカソード１６４とを含むバッテリ構造１６０を有するレンズ構造を示す。図６は、説明を簡略にするため、レンズ構造を分けて示す。説明の簡略化のため、図７では、アノード１６２をセパレータ１６３から分離し、セパレータ１６３をカソード１６４から分離し、カソード１６４を太陽電池パネル１２０から分離して示す。
【００５０】
アノード１６２、セパレータ１６３、カソード１６４、および太陽電池パネル１２０の各々は、レンズパネル上方の別個のグリッド構成である。アノード１６２、セパレータ１６３、カソード１６４、および太陽電池パネル１２０の各々のグリッド構成は、位置合わせされ得る。
【００５１】
充電回路１５０は、電気接続１５５に沿って、アノード１６２へ電流を供給し得、電気接続１５７に沿って、カソード１６４から電流を受け取り得る。この電流の流れにより、バッテリ構造１６０が充電され得る。図７で示されるように、セパレータ１６３は、充電回路１５０に直接結合されない。
【００５２】
また、図７は、充電回路１５０が、太陽電池パネル１２０と電気的に結合され、太陽電池パネル１２０から電流を受け取る様子を示す。例えば、充電回路１５０は、電流が流れ得るように、第１電気接続１５１と第２電気接続１５３により、太陽電池パネルと接続され得る。充電回路１５０で受け取った電流は、バッテリ構造１６０、および／またはアイウェア装置の他の電子コンポーネントに供給され得る。太陽電池パネル１２０は、太陽電池パネル１２０上で受け取った光に基づく電流を供給し得る。
【００５３】
充電回路１５０は、アノード１６２のグリッド構成と電気的に結合し得る。電気的結合は、アノード１６２の１または複数の位置で提供され得る。例えば、充電回路１５０は、アノード１６２のグリッド構成の端点に、および／またはアノード１６２の外周で電気的に結合され得る。１または複数の電気接続がなされ得る。
【００５４】
充電回路１５０は、カソード１６４のグリッド構成に電気的に結合され得る。電気的結合は、カソード１６４の１または複数の位置で提供され得る。
【００５５】
例えば、充電回路１５０は、カソード１６４のグリッド構成の端点に、および／またはカソード１６４の外周で電気的に結合され得る。１または複数の電気接続がなされ得る。
【００５６】
充電回路１５０は、太陽電池パネル１２０のグリッド構成に電気的に結合され得る。電気的結合は、太陽電池パネル１２０の１または複数の位置で提供され得る。例えば、充電回路１５０は、太陽電池パネル１２０のグリッド構成の端点に、および／または太陽電池パネル１２０の外周で電気的に結合され得る。１または複数の電気接続がなされ得る。
【００５７】
様々な他の電子コンポーネントが、アイウェア装置上に設けられ得る。これらのコンポーネントの各々は、バッテリ構造により電力供給され得る。例えば、ディスプレイデバイスが、メインフレーム上に搭載され得る。ディスプレイデバイスは、バッテリ構造により電力供給され得る。他の例として、通信ユニットが、アイウェア装置上に設けられ得る。通信ユニットは、バッテリ構造により電力供給され得る。
【００５８】
他の電子コンポーネントもまた、アイウェア装置上に設けられ、バッテリ構造により電力供給され得る。これらのコンポーネントとしては、スピーカ、マイク、コントローラ、メモリ、触覚デバイス等が挙げられるが、それらに限定されない。
【００５９】
以下の例は、更なる実施形態に関連する。
【００６０】
例１は、レンズパネルとレンズパネル上のバッテリ構造とを有する第１レンズ構造を備えるアイウェア装置であり、バッテリ構造は、アノード、セパレータ、およびカソードとを含む。
【００６１】
例２において、例１の主題は、バッテリ構造が、アノードのグリッド構成、セパレータのグリッド構成、およびカソードのグリッド構成とを有することを、任意に含み得る。
【００６２】
例３において、例１および例２の主題は、セパレータのグリッド構成が、アノードのグリッド構成と位置合わせされ、カソードのグリッド構成が、セパレータのグリッド構成と位置合わせされることを任意に含み得る。
【００６３】
例４において、例１から例３の主題は、バッテリ構造上の太陽電池パネルをさらに有する第１レンズ構造を任意に含み得る。
【００６４】
例５において、例１および例４の主題は、太陽電池パネルが、グリッド構成で設けられることを任意に含み得る。
【００６５】
例６において、例１および例４の主題は、バッテリ構造が、レンズパネルと太陽電池パネルとの間にあることを任意に含み得る。
【００６６】
例７において、例１および例４の主題は、レンズパネルが、バッテリ構造と太陽電池パネルとの間にあることを任意に含み得る。
【００６７】
例８において、例１および例４の主題は、光からエネルギーを受け取り、受け取ったエネルギーに基づく電流を提供するための太陽電池パネルを任意に含み得る。
【００６８】
例９において、例１から例４の主題は、アノードがレンズパネル上に設けられ、セパレータがアノード上に設けられ、セパレータがアノードとカソードとの間に設けられることを任意に含み得る。
【００６９】
例１０において、例１の主題は、蓄電するためのバッテリ構造を任意に含み得る。
【００７０】
例１１において、例１および例１０の主題は、電子コンポーネントに電力を供給するためのバッテリ構造を任意に含み得る。
【００７１】
例１２において、例１の主題は、レンズパネルが、ガラス、またはプラスチックであることを任意に含み得る。
【００７２】
例１３において、例１の主題は、他のレンズパネルと他のレンズパネル上の他のバッテリ構造とを有する第２レンズ構造を任意に含み得、他のバッテリ構造は、アノード、セパレータ、およびカソードとを含む。
【００７３】
例１４において、例１および例１３の主題は、他のレンズパネル上に太陽電池パネルを任意に含み得る。
【００７４】
例１５は、フレームアセンブリとレンズパネル、およびレンズパネル上のアノード、セパレータ、およびカソードとを有する第１レンズ構造とを備える電子システムである。
【００７５】
例１６において、例１５の主題は、アノードがグリッド構成を含み、セパレータがグリッド構成を含み、カソードがグリッド構成を含むことを任意に含み得る。
【００７６】
例１７において、例１５および例１６の主題は、セパレータのグリッド構成が、アノードのグリッド構成と位置合わせされ、カソードのグリッド構成が、セパレータのグリッド構成と位置合わせされることを任意に含み得る。
【００７７】
例１８において、例１５から例１７の主題は、アノード、セパレータ、およびカソードとが、バッテリ構造を形成することを任意に含み得る。
【００７８】
例１９において、例１５および例１８の主題は、バッテリ構造上に太陽電池パネルをさらに有する第１レンズ構造を任意に含み得る。
【００７９】
例２０において、例１５および例１９の主題は、太陽電池パネルがグリッド構成で設けられることを任意に含み得る。
【００８０】
例２１における、例１５および例１９の主題は、バッテリ構造が、レンズパネルと太陽電池パネルとの間にあることを任意に含み得る。
【００８１】
例２２において、例１５および例１９の主題は、レンズパネルが、バッテリ構造と太陽電池パネルとの間にあることを任意に含み得る。
【００８２】
例２３において、例１５および例１９の主題は、光からエネルギーを受け取り、受け取ったエネルギーに基づく電流を供給するための太陽電池パネルを任意に含み得る。
【００８３】
例２４において、例１８から例２３の主題は、バッテリ構造を充電する充電回路を任意に含み得る。
【００８４】
例２５において、例１５および例２４の主題は、バッテリ構造を充電する充電回路を任意に含み得る。
【００８５】
例２６において、例１５および例２４の主題は、アノードと電気的に結合する、および、カソードと電気的に結合する充電回路を任意に含み得る。
【００８６】
例２７において、例１５および例１８の主題は、少なくとも一つの電子コンポーネントを有するフレームアセンブリを任意に含み得る。
【００８７】
例２８において、例１５および例２７の主題は、バッテリ構造から電力を受け取る電子コンポーネントを任意に含み得る。
【００８８】
例２９において、例１５および例２７の主題は、蓄電するバッテリ構造を任意に含み得る。
【００８９】
例３０において、例１５および例２７の主題は、電子コンポーネントに電力を供給するバッテリ構造を任意に含み得る。
【００９０】
例３１において、例１５の主題は、アノードがレンズパネル上に設けられ、セパレータがアノード上に設けられ、セパレータがアノードとカソードとの間に設けられることを任意に含み得る。
【００９１】
例３２において、例１５の主題は、レンズパネルがガラス、またはプラスチックであることを任意に含み得る。
【００９２】
例３３において、例１５の主題は、他のレンズパネルと、他のレンズパネル上にアノード、セパレータ、およびカソードとを有する第２レンズ構造を任意に含み得る。
【００９３】
例３４において、例１５および例３３の主題は、他のレンズパネル上に太陽電池パネルをさらに有するための第２レンズ構造を任意に含み得る。
【００９４】
例３５は、レンズパネルと、第１レンズパネル上に蓄電のためのバッテリ手段とを有する第１レンズ構造を備えるアイウェア装置である。
【００９５】
例３６において、例３５の主題は、バッテリ手段が、アノード、セパレータ、およびカソードとを有することを任意に含み得る。
【００９６】
例３７において、例３５および３６の主題は、バッテリ手段が、アノードのグリッド構成、セパレータのグリッド構成、およびカソードのグリッド構成と含むことを任意に含み得る。
【００９７】
例３８において、例３５および例３７の主題は、セパレータのグリッド構成が、アノードのグリッド構成と位置合わせされ、カソードのグリッド構成が、セパレータのグリッド構成と位置合わせされることを任意に含み得る。
【００９８】
例３９おいて、例３５から例３８の主題は、バッテリ手段上に、光からエネルギーを受け取るための太陽光発電手段をさらに有するための第１レンズ構造を任意に含み得る。
【００９９】
例４０において、例３５の主題は、レンズパネルがガラス、またはプラスチックであることを任意に含み得る。
【０１００】
例４１は、例３５の主題は、他のレンズパネルと、他のレンズパネル上に、蓄電するための他のバッテリ手段を有するための第２レンズ構造を任意に含み得る。
【０１０１】
例４２において、例３５および例４１の主題は、他のバッテリ手段上に、光からエネルギーを受け取るための太陽光発電手段をさらに有するための第２レンズ構造を任意に含み得る。
【０１０２】
例４３は、レンズパネルと、レンズパネル上にバッテリ構造とを備えるレンズ構造であり、バッテリ構造は、アノード、セパレータ、およびカソードとを含む。
【０１０３】
例４４において、例４３の主題は、バッテリ構造が、アノードのグリッド構成、セパレータのグリッド構成、およびカソードのグリッド構成とを任意に含み得る。
【０１０４】
例４５において、例４３および例４４の主題は、セパレータのグリッド構成が、アノードのグリッド構成と位置合わせされ、カソードのグリッド構成が、セパレータのグリッド構成と位置合わせされることを任意に含み得る。
【０１０５】
例４６において、例４３から例４５の主題は、バッテリ構造上に太陽電池パネルを任意に含み得る。
【０１０６】
例４７において、例４３および例４６の主題は、太陽電池パネルがグリッド構成で設けられることを任意に含み得る。
【０１０７】
例４８において、例４３および例４６の主題は、バッテリ構造が、レンズパネルと太陽電池パネルとの間にあることを任意に含み得る。
【０１０８】
例４９において、例４３および例４６の主題は、レンズパネルが、バッテリ構造と太陽電池パネルとの間にあることを任意に含み得る。
【０１０９】
例５０において、例４３および例４６の主題は、光からエネルギーを受け取り、受け取ったエネルギーに基づく電流を提供するための太陽電池パネルを任意に含み得る。
【０１１０】
例５１において、例４３の主題は、アノードがレンズパネル上に設けられ、セパレータがアノード上に設けられ、セパレータがアノードとカソードとの間に設けられることを任意に含み得る。
【０１１１】
例５２において、例４３の主題は、レンズパネルがガラス、またはプラスチックであることを任意に含み得る。
【０１１２】
本明細書において、一実施形態、１つの実施形態、例示的な実施形態等のいずれを参照する場合でも、その実施形態に関連し説明される特定の特徴、構造、または特性が少なくとも１つの実施形態に含まれることを意味する。本明細書の様々な箇所でそのようなフレーズが現れる場合、必ずしも全て同一の実施形態を言及するものではない。さらに、特定の特徴、構造、または、特性が、どの実施形態に関連して説明される場合も、複数の実施形態の他のいくつかに関連して、そのような特徴、構造、または特性を実現することは、当業者の理解の範囲内であることが考えられる。
【０１１３】
複数の実施形態が、複数の例示的な実施形態を参照して説明されるが、当該開示の原理の趣旨と範囲内であり得る、多くの他の修正や実施形態が当業者により考案され得る。さらに具体的には、本開示、図面、付属の請求項の範囲内における対象物の組み合わせ構成のコンポーネント部分および／または構成における、様々な変更や修正が可能である。コンポーネント部分および／または構成における、様々な変更や修正に加えて、代替的な用途もまた当業者には明らかであろう。
【図１】
2018511283.tif 000003
【図２】
2018511283.tif 000004
【図３】
2018511283.tif 000005
【図４】
2018511283.tif 000006
【図５】
2018511283.tif 000007
【図６】
2018511283.tif 000008
【図７】
2018511283.tif 000009
【国際調査報告】
2018511283.tif 000010
2018511283.tif 000011